(57)【特許請求の範囲】
【請求項１】
ガスコンロ本体のトッププレートに形成されたバーナ用開口に挿通されるバーナの周囲に配置され、平面視環状をした五徳枠と、該五徳枠の周方向に略６０度間隔で設けられた６か所の五徳爪接合位置に接合される６本の五徳爪と、からなる五徳を具備してなるガスコンロであって、
前記五徳爪が、前記五徳爪接合位置と接合される、位置決め部を備え、
前記五徳爪として、その上下方向の高さ寸法が所定高さ寸法に形成される第一の五徳爪と、その高さ寸法が前記所定高さ寸法より小さく形成される第二の五徳爪とを備え、
前記五徳枠の平面視における中心をＯとし、
前記第一の五徳爪の前記位置決め部が接合される前記五徳爪接合位置を第一接合位置とし、
前記第二の五徳爪の前記位置決め部が接合される前記五徳爪接合位置を第二接合位置としたとき、
前記第一接合位置と前記中心Ｏとの距離、及び、前記第二接合位置と前記中心Ｏとの距離が異なる距離に構成されることを特徴とするガスコンロ。
【請求項２】
前記五徳枠が、正六角形を構成する辺のうちの互いに隣接しない三辺に対応する直線辺と、この直線辺の間の三箇所に形成され径外方向に膨出する膨出辺とを備え、
第一接合位置が前記直線辺に位置し前記第二接合位置が前記膨出辺に位置する、または、第一接合位置が前記膨出辺に位置し前記第二接合位置が前記直線辺に位置することを特徴とする請求項１記載のガスコンロ。
【請求項３】
前記バーナ用開口と前記バーナとの間に形成される隙間を塞ぎ、前記トッププレートに対して回り止め状態で位置決めされる、平面視略環状をしたバーナリングを備え、
前記五徳枠が前記バーナリングに対して回り止め状態で位置決めされ、
前記第一接合位置が、当該ガスコンロの使用時において使用者が位置する前方側に位置することを特徴とする請求項２記載のガスコンロ。
【請求項４】
前記バーナリングの外周に前記五徳枠の内周が外嵌するものであり、
前記バーナリングに前記膨出辺と沿うバーナリング側膨出辺を備え、
前記バーナリング側膨出辺と前記膨出辺とが干渉して前記五徳枠が前記バーナリングに対して回り止め状態で位置決めされることを特徴とする請求項３記載のガスコンロ。
【請求項５】
前記バーナリングの外周に前記五徳枠の内周が外嵌するものであり、
前記バーナリングに前記膨出辺と沿うバーナリング側膨出辺を備え、
前記バーナリングに前記三辺と沿うバーナリング側直線辺を備え、
前記バーナリング側直線辺と前記直線辺とが干渉して前記五徳枠が前記バーナリングに対して回り止め状態で位置決めされることを特徴とする請求項３記載のガスコンロ。
【発明の詳細な説明】
【技術分野】
【０００１】
本発明は、ガスコンロに関するものである。
【背景技術】
【０００２】
ガスコンロは一般的に、バーナが設置されたガスコンロ本体の上面にトッププレートを被着し、トッププレートに形成されたバーナ用開口にバーナを挿通し、バーナの周囲に五徳を配置している。前記五徳は、平面視略円環状をした五徳枠と、五徳枠の周方向に略等間隔に設けられ被加熱物が載置される複数の五徳爪とを備えている。また、バーナとバーナ用開口の内端縁との間に形成される隙間には、この隙間を塞ぐバーナリングを配置している。前記バーナリングは、周端縁がトッププレートのバーナ用開口縁の上面に載置される。
【０００３】
ところで、五徳としては、五徳爪を６本備えるものが多い（例えば特許文献１参照）。そして、五徳をトッププレート上に載置する際には、何れかの五徳爪の下端がトッププレートと当接することになる。この場合、３本の五徳爪の下端だけがトッププレートと当接するように、つまり３点支持にて五徳がトッププレート上に載置されるように構成することで、トッププレートに対する五徳のガタツキが防止される。そして、この場合、五徳枠の周方向に６０度間隔で設けられる五徳爪のうち、３点支持に係る３本の五徳爪と他の３本の五徳爪とを交互に設けることになる。そしてその場合、３点支持に係る３本の五徳爪の高さ方向の寸法と他の３本の五徳爪の高さ方向の寸法とは大きく異ならないようにすることで、五徳上に調理容器が偏って載置されたときにも、調理容器が五徳によって安定して支持できることになる。
【０００４】
しかし、３点支持に係る３本の五徳爪の高さ方向の寸法と他の３本の五徳爪の高さ方向の寸法とは大きく異ならないようにした場合、従来の五徳では、６本の五徳爪のうち、トッププレートと当接して上記３点支持に係る３本の五徳爪と、他の３本の五徳爪との区別が困難となり、製造工程において、五徳枠の周方向に６０度間隔で設けられる五徳爪のうち、３点支持に係る３本の五徳爪と他の３本の五徳爪とが適正に交互に設けられない事態が発生するおそれがあり、その場合、適正なる３点支持にて五徳がトッププレート上に載置されないことになる。
【先行技術文献】
【特許文献】
【０００５】
【特許文献１】特開２０１１−１７９７２３号公報
【発明の概要】
【発明が解決しようとする課題】
【０００６】
本発明は上記従来の問題点に鑑みて発明したものであって、その目的とするところは、五徳に備える６本の五徳爪のうち３点支持に係る３本の五徳爪の高さ方向の寸法と他の３本の五徳爪の高さ方向の寸法とは大きく異ならないようにした場合にも、トッププレートと当接して３点支持に係る３本の五徳爪と、他の３本の五徳爪との区別が容易で、製造工程において、五徳枠の周方向に６０度間隔で設けられる五徳爪のうち、３点支持に係る３本の五徳爪と他の３本の五徳爪とが適正に交互に設けられない事態が発生することが抑制されたガスコンロを提供することを課題とするものである。
【課題を解決するための手段】
【０００７】
上記課題を解決するために、本願発明によるガスコンロは、ガスコンロ本体のトッププレートに形成されたバーナ用開口に挿通されるバーナの周囲に配置され、平面視環状をした五徳枠と、該五徳枠の周方向に略６０度間隔で設けられた６か所の五徳爪接合位置に接合される６本の五徳爪と、からなる五徳を具備してなるガスコンロであって、前記五徳爪が、前記五徳爪接合位置と接合される、位置決め部を備え、前記五徳爪として、その上下方向の高さ寸法が所定高さ寸法に形成される第一の五徳爪と、その高さ寸法が前記所定高さ寸法より小さく形成される第二の五徳爪とを備え、前記五徳枠の平面視における中心をＯとし、前記第一の五徳爪の前記位置決め部が接合される前記五徳爪接合位置を第一接合位置とし、前記第二の五徳爪の前記位置決め部が接合される前記五徳爪接合位置を第二接合位置としたとき、前記第一接合位置と前記中心Ｏとの距離、及び、前記第二接合位置と前記中心Ｏとの距離が異なる距離に構成されることを特徴とするものである。
【０００８】
本願発明によるガスコンロは、上記のように構成されるので、第一の五徳爪の位置決め部が接合される第一接合位置と中心Ｏとの距離と、第二の五徳爪の位置決め部が接合される第二接合位置と中心Ｏとの距離とが異なることによって、
第一の五徳爪における位置決め部の位置と第二の五徳爪における位置決め部の位置とが異なることになり、第一の五徳爪と第二の五徳爪との外観が異なるものになり、製造工程において、第一の五徳爪と第二の五徳爪とがその外観によって区別できることになり、五徳枠の周方向に６０度間隔で設けられる五徳爪のうち、３点支持に係る３本の五徳爪と他の３本の五徳爪とが適正に交互に設けられない事態が発生することが抑制されたガスコンロとすることができる。
【０００９】
前記五徳枠が、正六角形を構成する辺のうちの互いに隣接しない三辺と、この三辺の間の三箇所に形成され径外方向に膨出する膨出辺とを備え、第一接合位置が前記三辺に位置し前記第二接合位置が前記膨出辺に位置する、または、第一接合位置が前記膨出辺に位置し前記第二接合位置が前記三辺に位置することが好ましい。
【００１０】
このように構成することで、簡単に本願のガスコンロが構成できる。
【００１１】
また、前記バーナ用開口と前記バーナとの間に形成される隙間を塞ぎ、前記トッププレートに対して回り止め状態で位置決めされる、平面視略環状をしたバーナリングを備え、前記五徳枠が前記バーナリングに対して回り止め状態で位置決めされ、前記第一接合位置が、当該ガスコンロの使用時において使用者が位置する前方側に位置することが好ましい。
【００１２】
このような構成とした場合、当該ガスコンロの使用時において使用者が位置する前方側に第一接合位置が位置するので、雪平鍋のように取っ手を前方側に位置させてすることが多く、重心が前方側に偏った調理容器を使用した場合に、３点支持に係る３本の五徳爪の内の一本の五徳爪によって調理容器を適切に支持でき使い勝手が良い。
【００１３】
因みに、第二接合位置が、当該ガスコンロの使用時において使用者が位置する前方側に位置するように構成した場合、重心が前方側に偏った調理容器を使用した場合に、３点支持に係る３本の五徳爪以外の五徳爪の内の一本の五徳爪によって調理容器がされることになり、ガタツキが生じる不都合が考えられる。
【００１４】
また、前記バーナリングの外周に前記五徳枠の内周が外嵌するものであり、前記バーナリングに前記膨出辺と沿うバーナリング側膨出辺を備え、前記バーナリング側膨出辺と前記膨出辺とが干渉して前記五徳枠が前記バーナリングに対して回り止め状態で位置決めされることが好ましい。
【００１５】
このように構成した場合、中心Ｏから離れた位置であるバーナリング側膨出辺と膨出辺とが干渉して五徳枠がバーナリングに対して回り止め状態で位置決めされるので、回り止めが精度よく行えるものとなる。つまり、五徳枠とバーナリングとのクリアランスを同程度にした場合、中心Ｏから離れた位置であるバーナリング側膨出辺と膨出辺との干渉によって回り止めすることで、五徳枠の小さい角度の回動で回り止めされまわり止めが精度よく行えるのである。
【００１６】
また、前記バーナリングの外周に前記五徳枠の内周が外嵌するものであり、前記バーナリングに前記膨出辺と沿うバーナリング側膨出辺を備え、前記バーナリングに前記三辺と沿うバーナリング側三辺を備え、前記バーナリング側三辺と前記三辺とが干渉して前記五徳枠が前記バーナリングに対して回り止め状態で位置決めされるように構成することも好ましい。
【００１７】
このように構成した場合、五徳枠に備える膨出辺、及び、バーナリングに備えるバーナリング側膨出辺の径外方向への膨出寸法が小さいものとすることができ、五徳枠、及び、バーナリングの外形寸法が小さいものとすることができ、外観意匠の向上が行えると共に、製造原価の低減が行えることになる。
【発明の効果】
【００１８】
製造工程において、第一の五徳爪と第二の五徳爪とがその外観によって区別できることになり、五徳枠の周方向に６０度間隔で設けられる五徳爪のうち、３点支持に係る３本の五徳爪と他の３本の五徳爪とが適正に交互に設けられない事態が発生することが抑制されたガスコンロとすることができる。
【図面の簡単な説明】
【００１９】
【図１】本発明の一実施形態のガスコンロの斜視図である。
【図２】同上のガスコンロの平面図である。
【図３】同上のガスコンロが備える五徳の斜視図である。
【図４】同上の五徳の平面図である。
【図５】同上の五徳の側面図である。
【発明を実施するための形態】
【００２０】
以下、本発明を添付図面に示す実施形態に基づいて説明する。
【００２１】
ガスコンロはＧＣ、コンロ用のバーナ０２や操作部（図示せず）や制御機器（図示せず）等を取り付ける基台となるガスコンロ本体（図示せず）と、ガスコンロ本体の上端部に被着されて天面部を構成するトッププレート１と、トッププレート０１上に形成されるコンロ部１１と、を備えている。本実施形態では、図１に示すように、トッププレート０１の上面に、バーナ０２を備えた左コンロ部１１が向かって左側の手前に設けてあり、右コンロ部が向かって右側の手前に設けてある。
【００２２】
バーナ０２は、図１、図２に示すように、トッププレート０１に穿設されたバーナ用開口１０を介してトッププレート０１の上方に露出する。本実施形態では図１、図２に示すように、バーナ用開口１０を標準バーナ０２、高火力バーナがそれぞれ下方より挿通して上方に突出している。そして、トッププレート０１の上面には、バーナ０２を中央に配置した五徳０４を設けるもので、バーナ０２と五徳０４とで、五徳０４上に載置される鍋等の被加熱物（図示せず）を加熱するコンロ部１１が構成される。
【００２３】
五徳０４は、図１から図５に示すように、環状をした五徳枠４１と、複数個の五徳爪４２とを一体に組み立てて形成されるものである。本実施形態では、五徳枠４１は、断面略円形状の金属製の丸棒材を平面視環状に曲成して形成し、五徳爪４２は、五徳枠４１の周方向に複数個（本実施形態では６個）が略等間隔に溶接して一体に形成してある。五徳０４の詳細については後述する。
【００２４】
図１、図２に示すように、トッププレート０１のバーナ用開口１０の内端縁とバーナ０２との隙間には、平面視円環状をしたバーナリング０３が介装される。バーナリング０３は、トッププレート０１に対して回り止めされてトッププレート０１に対して位置決めされて固定されている。なお、バーナリング０３が、トッププレート０１に対して回り止めされてトッププレート０１に対して位置決めされる構成については、周知の種々の構成が採用可能であり詳細な説明は省略する。
【００２５】
五徳０４は、図３、図４に示すように、平面視環状をした五徳枠４１と、五徳枠４１の周方向に略６０度間隔で設けられた６か所の五徳爪接合位置（第一接合位置５５ａ或いは第二接合位置５５ｂ）に接合される６本の五徳爪４２とから構成される。
【００２６】
五徳爪４２として、図５に示すように、上下方向の高さ寸法が所定高さ寸法Ｈａ（本実施形態では３４ｍｍ）に形成される第一の五徳爪４２ａと、高さ寸法が上記所定寸法より小さい高さ寸法Ｈｂ(本実施形態では３３．５ｍｍ)に形成される第二の五徳爪４２ｂとを備える。さらに具体的には、五徳枠４１に第一の五徳爪４２ａ及び第二の五徳爪４２ｂが溶接にて止着された状態で、第一の五徳爪４２ａの下端が第二の五徳爪４２ｂの下端より下方に０．２５ｍｍ突出し、第一の五徳爪４２ａの上端が第二の五徳爪４２ｂの上端より上方に０．２５ｍｍ突出する。なお、第一の五徳爪４２ａ及び第二の五徳爪４２ｂの高さ寸法は上記寸法に限定されず、第一の五徳爪４２ａの高さ寸法と比べて第二の五徳爪４２ｂの高さ寸法が小さければよい。
【００２７】
図３、図４に示すように、第一の五徳爪４２ａは、第一の五徳爪４２ａに形成された第一の五徳爪の位置決め部５２ａが、第一接合位置５５ａで五徳枠４１と接合される。また、第二の五徳爪４２ｂは、第二の五徳爪４２ｂに形成された第二の五徳爪の位置決め部５２ｂが、第二接合位置５５ｂで五徳枠４１と接合される。
【００２８】
そして、五徳枠４１の平面視における中心をＯとし、第一の五徳爪の位置決め部５２ａが接合される五徳爪接合位置を第一接合位置５５ａとし、第二の五徳爪の位置決め部５２ｂが接合される五徳爪接合位置を第二接合位置５５ｂとしたとき、第一接合位置５５ａと中心Ｏとの距離、及び、第二接合位置５５ｂと中心Ｏとの距離が異なる距離に構成される。具体的には、第一接合位置５５ａと中心Ｏとの距離に比べて第二接合位置５５ｂと中心Ｏとの距離は、４ｍｍ大きい。
【００２９】
本実施形態ではこのように構成され、第一の五徳爪４２ａの下端が第二の五徳爪４２ｂの下端より下方に０．２５ｍｍ突出することにより、五徳０４がトッププレート０１上に載置されたときに、五徳０４が第一の五徳爪４２ａにより３点支持されることになり、トッププレート０１上における五徳０４のガタツキが抑制される。
【００３０】
また、第一の五徳爪４２ａの上端が第二の五徳爪４２ｂの上端より上方に０．２５ｍｍ突出することにより、調理容器が五徳０４上で第一の五徳爪４２ａにより３点支持されることになり、五徳０４上における調理容器のガタツキが抑制される。
【００３１】
しかも、第一接合位置５５ａと中心Ｏとの距離に比べて第二接合位置５５ｂと中心Ｏとの距離は、４ｍｍ大きいので、製造工程において五徳枠４１に第一の五徳爪４２ａと第二の五徳爪４２ｂとを間違えて止着しようとしたとき、第一の五徳爪４２ａと第二の五徳爪４２ｂとを間違えて止着しようとしていることが容易に発見でき、３点支持に係る３本の五徳爪つまり第一の五徳爪４２ａと他の３本の五徳爪つまり第二の五徳爪４２ｂとが適正に交互に設けられない事態が発生することが抑制される。
【００３２】
特に、製造工程においては、一般的に、五徳枠４１に第一の五徳爪４２ａ及び第二の五徳爪４２ｂを溶接にて試着する際には治具が用いられることになるので、五徳枠４１に第一の五徳爪４２ａと第二の五徳爪４２ｂとを間違えて止着しようとしていることの発見は容易である。
【００３３】
なお、本実施形態では、図１から図４に示すように、五徳枠４１が、正六角形を構成する辺のうちの互いに隣接しない三辺に対応する直線辺３２ｂと、この直線辺３２ｂの間の三箇所に形成され径外方向に膨出する膨出辺３２ａとを備える形態に構成される。
【００３４】
そして、本実施形態では、図３、図４に示すように、第一接合位置５５ａが直線辺３２ｂに位置し第二接合位置５５ｂが膨出辺３２ａに位置するように構成される。なお、第一接合位置５５ａが膨出辺３２ａに位置し第二接合位置５５ｂが直線辺３２ｂに位置するように構成してもよい。
【００３５】
また、本実施形態では、図１、図２に示すように、バーナ用開口１０とバーナ０２との間に形成される隙間を塞ぎ、トッププレート０１に対して回り止め状態で位置決めされる、平面視略環状をしたバーナリング０３を備え、五徳枠４１がバーナリング０３に対して回り止め状態で位置決めされる。そして、直線辺３２ｂが当該ガスコンロの使用時において使用者が位置する前方側に位置し、その結果、第一接合位置５５ａが、ガスコンロＧＣの使用時において使用者が位置する前方側に位置することになる。
【００３６】
これにより、ガスコンロＧＣの使用時において使用者が位置する前方側に第一接合位置５５ａが位置するので、雪平鍋のように取っ手を前方側に位置させてすることが多く、重心が前方側に偏った調理容器を使用した場合に、３点支持に係る３本の五徳爪である第一の五徳爪４２ａの内の一本の五徳爪によって調理容器を適切に支持でき使い勝手が良いものとなっている。
【００３７】
なお、五徳枠４１がバーナリング０３に対して回り止め状態で位置決めするために、本実施形態では、図１、図２に示すように、バーナリング０３の外周に五徳枠４１の内周が外嵌するようにしてあり、バーナリング０３に膨出辺３２ａと沿うバーナリング側膨出辺を備え、バーナリング側膨出辺と膨出辺３２ａとが干渉して五徳枠４１がバーナリング０３に対して回り止め状態で位置決めされるように構成される。
【００３８】
なお、バーナリング側膨出辺と膨出辺３２ａとが干渉して五徳枠４１がバーナリング０３に対して回り止め状態で位置決めされるのではなく、つまり、バーナリング側膨出辺と膨出辺３２ａとを、Ｏを中心とする円弧に沿う形状に構成しておき、バーナリング側直線辺と直線辺３２ｂとが干渉して五徳枠４１がバーナリング０３に対して回り止め状態で位置決めされるように構成してもよい。
【００３９】
なお、発明は、上記実施形態に限定されるものではなく、本発明の範囲内において種々の変形を加えることが可能である。
【符号の説明】
【００４０】
０１    トッププレート
１０  バーナ用開口
１１  コンロ部
０２    バーナ
０３    バーナリング
３２ａ  膨出辺
３２ｂ  直線辺
０４    五徳
４１  五徳枠
４２  五徳爪
４２ａ  第一の五徳爪
４２ｂ  第二の五徳爪
５２ａ  第一の五徳爪の位置決め部
５２ｂ  第二の五徳爪の位置決め部
５５ａ  第一接合位置
５５ｂ  第二接合位置
ＧＣ  ガスコンロ
Ｈａ    第一の五徳爪の高さ寸法
Ｈｂ    第二の五徳爪の高さ寸法
Ｏ  中心
【図１】
0006741905.tif 000002
【図２】
0006741905.tif 000003
【図３】
0006741905.tif 000004
【図４】
0006741905.tif 000005
【図５】
0006741905.tif 000006